(57)【要約】【課題】  自動車用音響ハードディスクプレイヤーの提供。【解決手段】  本発明の自動車用音響ハードディスクプレイヤーは、自動車の音響装置に結合されてデジタル音楽（ＭＰ３等）を再生するプレイヤーであり、使用者が大量の音楽をコンピュータ或いは類似の設備を利用して携帯型のハードディスクに保存して車上で再生でき、運転時に音楽ＣＤを交換する煩わしさと危険を回避できるようにする。【選択図】        図３
2005173260.tif 000002
【特許請求の範囲】
【請求項１】
プレイヤー本体と、ハードディスク装置と、音楽制御ユニットと、無線発射ユニットと、を具え、
該プレイヤー本体は、ハードディスクを挿入でき、並びに車上の選択した定点部分に取り付けることができ、
該ハードディスク装置は、デジタル音楽データの保存に供され、
該音楽制御ユニットは、ハードディスク装置内のデジタル音楽データを読み取り再生に供し、
該無線発射ユニットは、音楽制御ユニットの伝送するデジタル音楽データを変調して無線信号となし、使用者が自動車音響装置の周波数変調機能を利用してそれを受信し並びに再生できるようにすることを特徴とする、自動車用音響ハードディスクプレイヤー。
【請求項２】
請求項１記載の自動車用音響ハードディスクプレイヤーにおいて、音楽制御ユニットが、
ハードディスク装置に接続されてデータ伝送を行なうハードディスクバスと、ハードディスク装置内に保存されたデータを読み取るハードディスクインタフェースチップと、ハードディスクより読み取ったデジタル音楽データを再生用の音楽信号に変換するデジタル音楽デコードユニットと、を具えたことを特徴とする、自動車用音響ハードディスクプレイヤー。
【請求項３】
請求項１記載の自動車用音響ハードディスクプレイヤーにおいて、無線発射ユニットが、変調発射回路とされて音楽制御ユニットの伝送するデジタル音楽データを無線信号に変成して使用者が音響装置の周波数変調機能を利用して受信並びに再生できるようにすることを特徴とする、自動車用音響ハードディスクプレイヤー。
【請求項４】
請求項１記載の自動車用音響ハードディスクプレイヤーにおいて、無線発射ユニットが周波数幅変調回路とされ、音楽制御ユニットの伝送するデジタル音楽データを無線信号に変成して使用者が音響装置の周波数変調機能を利用して受信並びに再生できるようにすることを特徴とする、自動車用音響ハードディスクプレイヤー。
【請求項５】
請求項１記載の自動車用音響ハードディスクプレイヤーにおいて、ディスプレイと操作ボタンセットを具え、使用者の選択と再生時の関係データ表示とを行なうことを特徴とする、自動車用音響ハードディスクプレイヤー。
【請求項６】
請求項１記載の自動車用音響ハードディスクプレイヤーにおいて、使用者がリモートコントロールで選曲するための無線リモートコントローラーを具えたことを特徴とする、自動車用音響ハードディスクプレイヤー。
【請求項７】
請求項１記載の自動車用音響ハードディスクプレイヤーにおいて、ハードディスク装置がケースと、コンピュータの入出力ポートに接続可能なソケットとを具えたことを特徴とする、自動車用音響ハードディスクプレイヤー。
【発明の詳細な説明】
【技術分野】
【０００１】
本発明は一種の自動車用音響ハードディスクプレイヤーに係り、特に、自動車の音響装置に結合されてデジタル音楽（ＭＰ３等）を再生するプレイヤーであり、使用者が大量の音楽をコンピュータ或いは類似の設備を利用して携帯型のハードディスクに保存して車上で再生でき、運転時に音楽ＣＤを交換する煩わしさと危険を回避できる装置に関する。
【背景技術】
【０００２】
現在、デジタル音楽の再生には専属のデジタルプレイヤー、例えばパーソナルコンピュータ或いはＭＰ３携帯型プレイヤーが提供されているが、自動車内でデジタル音楽の再生を行なうことはできず、ただブロードキャスティングを聴くか、ＣＤ、録音テープ等の音楽を再生することしかできず、このＣＤ、録音テープは体積が比較的大きく、ゆえに携帯上不便であり、さらに一般に自動車音響装置は単一のテープ差し込み口しかなく、ＣＤカートリッジは１１又は１２枚のＣＤしか収容できず、使用者が選択する上で制限があり、デジタル音楽のもたらす便利さには遠く及ばない。この欠点に対して、特許文献１に記載のハードディスクデジタルレコーダープレイヤーが提供されているが、車上で使用する時には伝送線を必要とし、不便なところがある。
【０００３】
【特許文献１】台湾特許出願第０８９２１０６７２号明細書
【発明の開示】
【発明が解決しようとする課題】
【０００４】
このため、本発明は、無線で音声信号を伝送する方式を使用し、各自動車がいずれもブロードキャスティングを受信できる前提の下で、周波数変調或いは周波数幅変調の方式で音楽を受信し、使用者が自動車のアクセサリを改変せずに、簡単にデジタル音楽再生の効果を達成できるようにする。
【０００５】
本発明の目的は、自動車用音響ハードディスクプレイヤーを提供することにあり、それは、使用者が大量の音楽をコンピュータ或いは類似の設備を利用して携帯型のハードディスクに保存して車上で再生できるようにし、これにより、運転時に音楽ＣＤを交換する煩わしさと危険を回避できるようにすると共に、無線リモートコントロールで選曲でき、その便利性と安全性を増した装置であるものとする。
【課題を解決するための手段】
【０００６】
請求項１の発明は、プレイヤー本体と、ハードディスク装置と、音楽制御ユニットと、無線発射ユニットと、を具え、
該プレイヤー本体は、ハードディスクを挿入でき、並びに車上の選択した定点部分に取り付けることができ、
該ハードディスク装置は、デジタル音楽データの保存に供され、
該音楽制御ユニットは、ハードディスク装置内のデジタル音楽データを読み取り再生に供し、
該無線発射ユニットは、音楽制御ユニットの伝送するデジタル音楽データを変調して無線信号となし、使用者が自動車音響装置の周波数変調機能を利用してそれを受信し並びに再生できるようにすることを特徴とする、自動車用音響ハードディスクプレイヤー。
請求項２の発明は、請求項１記載の自動車用音響ハードディスクプレイヤーにおいて、音楽制御ユニットが、
ハードディスク装置に接続されてデータ伝送を行なうハードディスクバスと、ハードディスク装置内に保存されたデータを読み取るハードディスクインタフェースチップと、ハードディスクより読み取ったデジタル音楽データを再生用の音楽信号に変換するデジタル音楽デコードユニットと、を具えたことを特徴とする、自動車用音響ハードディスクプレイヤーとしている。
請求項３の発明は、請求項１記載の自動車用音響ハードディスクプレイヤーにおいて、無線発射ユニットが、変調発射回路とされて音楽制御ユニットの伝送するデジタル音楽データを無線信号に変成して使用者が音響装置の周波数変調機能を利用して受信並びに再生できるようにすることを特徴とする、自動車用音響ハードディスクプレイヤーとしている。
請求項４の発明は、請求項１記載の自動車用音響ハードディスクプレイヤーにおいて、無線発射ユニットが周波数幅変調回路とされ、音楽制御ユニットの伝送するデジタル音楽データを無線信号に変成して使用者が音響装置の周波数変調機能を利用して受信並びに再生できるようにすることを特徴とする、自動車用音響ハードディスクプレイヤーとしている。
請求項５の発明は、請求項１記載の自動車用音響ハードディスクプレイヤーにおいて、ディスプレイと操作ボタンセットを具え、使用者の選択と再生時の関係データ表示とを行なうことを特徴とする、自動車用音響ハードディスクプレイヤーとしている。
請求項６の発明は、請求項１記載の自動車用音響ハードディスクプレイヤーにおいて、使用者がリモートコントロールで選曲するための無線リモートコントローラーを具えたことを特徴とする、自動車用音響ハードディスクプレイヤーとしている。
請求項７の発明は、請求項１記載の自動車用音響ハードディスクプレイヤーにおいて、ハードディスク装置がケースと、コンピュータの入出力ポートに接続可能なソケットとを具えたことを特徴とする、自動車用音響ハードディスクプレイヤーとしている。
【発明の効果】
【０００７】
本発明は、自動車用音響ハードディスクプレイヤーを提供することにあり、それは、使用者が大量の音楽をコンピュータ或いは類似の設備を利用して携帯型のハードディスクに保存して車上で再生できるようにし、これにより、運転時に音楽ＣＤを交換する煩わしさと危険を回避できるようにすると共に、無線リモートコントロールで選曲でき、その便利性と安全性を増した装置であるものとする。
【発明を実施するための最良の形態】
【０００８】
本発明の自動車用音響ハードディスクプレイヤーは、プレイヤー本体と、ハードディスク装置と、音楽制御ユニットと、無線発射ユニットと、を具えている。
【０００９】
該プレイヤー本体にはハードディスクを挿入でき、並びに車上の定点部分に選択的に取り付けることができる（使用者の必要と車内空間により取り付け位置を選択できる）。
【００１０】
該ハードディスク装置は、ケース内にハードディスクが設けられてなり、デジタル音楽データの保存に供され、且つケースにコンピュータＩ／Ｏポートに接続されるソケット（例えばＵＳＢ、ＩＳＯ１３９４、ＲＳ２３２等）が設けられてプレイヤー本体或いはコンピュータと接続できる。
【００１１】
該音楽制御ユニットは、ハードディスク装置内のデジタル音楽データを読み取り再生に供する。
【００１２】
該無線発射ユニットは、音楽制御ユニットの読み取ったデジタル音楽データを変調し無線信号に変成し、使用者が音響の周波数調整機能を利用して受信並びに放送できるようにする。
【００１３】
以上で構成された本発明の自動車用音響ハードディスクプレイヤーは、その音楽制御ユニットが、ハードディスク装置に接続されてデータ伝送を行なうハードディスクバスと、ハードディスク装置内に保存されたデータを読み取るハードディスクインタフェースチップと、ハードディスクより読み取ったデジタル音楽データを再生用の音楽信号に変換するデジタル音楽デコードユニットと、を具えている。
【００１４】
本発明の自動車用音響ハードディスクプレイヤーの無線発射ユニットは、音楽制御ユニットの伝送するデジタル音楽データを変調して無線信号となし、使用者が自動車音響装置の周波数変調を利用して受信し並びに再生できるようにする変調発射或いは周波数幅変調回路であり、使用者が自動車用音響装置の周波数変調機能を利用して受信並びに再生できるようにする。
【００１５】
本発明の自動車用音響ハードディスクプレイヤーは、更にディスプレイと操作ボタンセットを具え、使用者の選択と再生時の関係データ表示とが行なえる。
【００１６】
本発明はさらに無線コントローラーを具え、使用者がリモートコントロールで選曲でき、その操作の便利性と安全性を増している。
【実施例１】
【００１７】
図１、２に示されるように、本発明の自動車用音響ハードディスクプレイヤーは、プレイヤー本体１と、ハードディスク装置２と、音楽制御ユニット４と、無線発射ユニット３とを具えている。
【００１８】
該プレイヤー本体１は、ハードディスク装置２を挿入でき、並びに選択した車内の定点に取り付けることができる。
【００１９】
該ハードディスク装置２は、ケース２１内にハードディスク２２が設けられてなり、デジタル音楽データの保存に供され、且つケース２１にコンピュータの入出力ポートと接続可能なソケット２３（例えばＵＳＢ、ＩＳＯ１３９４、ＲＳ２３２等）が設けられてプレイヤー本体１或いはコンピュータと接続できる。
【００２０】
音楽制御ユニット４は、ハードディスク装置２内のデジタル音楽を読み取り、再生に供する。該音楽制御ユニット４は、該ハードディスク装置２に接続されてデータ伝送を行なうハードディスクバス４１と、ハードディスク２２内に保存されたデータを読み取るハードディスクインタフェースチップ４２と、ハードディスク２２より読み取ったデジタル音楽データを再生用の音楽信号に変換するデジタル音楽デコードユニット４３と、を具えている。
【００２１】
該無線発射ユニット３は、周波数変調或いは周波数幅変調回路であり、音楽制御ユニット４の伝送するデジタル音楽を無線信号に変換し、使用者が自動車音響装置５の周波数変調機能を利用してそれを受信し並びに再生できるようにする。
【００２２】
本発明は以上で構成され、図３に示されるように、使用者は任意にハードディスク装置２を抜き取り、それをコンピュータ或いはその他の類似の装置に接続し、ハードディスク装置２内のハードディスク２２のデータを交換した後、さらにハードディスク装置２を本発明のプレイヤー本体１内に戻すことができる。音楽制御ユニット４はハードディスクインタフェースチップ４２でハードディスクデータを読み取った後、ハードディスクバス４１でデータを伝送してデジタル音楽デコードユニット４３でデコードし、音楽信号に変換した後、無線発射ユニット３に伝送する。無線発射ユニット３はこの音楽信号を特定周波数のＲＦ信号に変換し、使用者が車内の自動車音響装置５の周波数変調（ブロードキャスト）機能を利用して受信して再生できるようにする。こうして本発明は大量の音楽を携帯式のハードディスク装置２に保存して車内で再生でき、こうして運転時にＣＤやテープを交換したり放置したりする面倒と危険を完全に回避できる。
【００２３】
このほか、図４に示されるように、本発明はさらにディスプレイ６と操作ボタンセット７を具え、使用者の選択と放送時の関係データの表示が行なえる。
【００２４】
本発明は使用者の選曲操作に便利なように、無線リモートコントローラーを具え、使用者がリモートコントロールで選曲でき、その操作の便利性と安全性が増されている。
【００２５】
総合すると、本発明は携帯型ハードディスクに保存した大量の音楽データを、該携帯型ハードディスクを自動車音響装置に接続して再生できるようにした装置であり、車内での音楽再生の制限と不便を解決する。
【００２６】
以上の実施例は本発明の実施範囲を制限するものではなく、本発明に基づきなしうる細部の修飾或いは改変は、いずれも本発明の請求範囲に属するものとする。
【図面の簡単な説明】
【００２７】
【図１】本発明の実施例表示図である。
【図２】本発明の構成ブロック表示図である。
【図３】本発明の第１実施例表示図である。
【図４】本発明の第２実施例表示図である。
【符号の説明】
【００２８】
１  プレイヤー本体
２  ハードディスク装置
２１  ケース
２２  ハードディスク
２３  ソケット
３  無線発射ユニット
４  音楽制御ユニット
４１  ハードディスクバス
４２  ハードディスクインタフェースチップ
４３  デジタル音楽デコードユニット
５  自動車音響装置
６  ディスプレイ
７  操作ボタンセット
【図１】
2005173260.tif 000003
【図２】
2005173260.tif 000004
【図３】
2005173260.tif 000005
【図４】
2005173260.tif 000006